(57)【要約】      （修正有）【課題】油田随伴水に含有される多種の有機物を一括で分解除去する装置、および処理方法を提供する。【解決手段】油田随伴水から油分、固形分を除去して有機物を含有する１次処理水を得る工程と、前記１次処理水を放電プラズマに曝して有機物を分解する工程であって、前記放電プラズマはパルス幅１０ｎｓ以下のパルスを出力するナノ秒パルス電源によって生成される、分解工程と、を備えた油田随伴水の処理方法。【選択図】図３
2015217358.tif 000002
【特許請求の範囲】
【請求項１】
外側の第１の電極と、第１の電極の内部空間内で当該第１の電極の長さ方向に延びる第２の電極と、からなる電極対と、
前記電極対にパルス高電圧を付与するパルス電源と、
前記第１の電極の内部空間と連通する被処理水の導入口及び排出口と、
前記第１の電極の内部空間と連通する酸素含有ガスの導入口及び排出口と、
を備えた処理装置であって、
前記パルス電源は、パルス幅１０ｎｓ以下で電圧立ち上がり速度１０ｋＶ／ｎｓ以上のパルスを生成するナノ秒パルス電源であり、前記導入口から前記内部空間に噴霧された被処理水中の有機物が、酸素雰囲気下で生成されたナノ秒パルス放電プラズマに曝されて分解される、
有機物含有水の処理装置。
【請求項２】
空間を介して対向する第１及び第２の電極とからなる電極対と、
前記電極対に高周波電圧を供給する電源と、
とを備え、
前記電極対間の空間に被処理水を噴霧状に供給する、有機物含有水の処理装置であって、
前記第１の電極と第２の電極との距離が、高周波電圧信号の進行方向に沿って変化していることを特徴とする有機物含有水の処理装置。
【請求項３】
前記第２の電極は、前記第１の電極の内部空間内で当該第１の電極の長さ方向に延びており、
前記第２の電極は、第１端と第２端を有し、第１端側に入力された高周波電圧信号としてのパルスが第２端に向かって進行するようになっており、
前記第１の電極の内周面と前記第２の電極間の距離を、第１端側からパルスの進行方向に向かって漸次小さくしてなる、請求項２に記載の処理装置。
【請求項４】
前記第２の電極は、前記第１の電極の内部空間内で当該第１の電極の長さ方向に延びており、
前記第２の電極は、第１端と第２端を有し、第１端側に入力された高周波電圧信号としてのパルスが第２端に向かって進行するようになっており、前記第２端は開放端であり、
前記第１の電極の内周面と前記第２の電極間の距離を、第１端側からパルスの進行方向に向かって、第２の電極の所定部位まで漸次小さくすると共に、前記所定部位から第２端に向かって漸次大きくしてなる、請求項２に記載の処理装置。
【請求項５】
前記第１の電極は筒状電極であり、前記第２の電極は、前記第１の電極の内部空間内で当該第１の電極の長さ方向に延びており、
前記第２の電極は、第１端と第２端を有し、第１端側に入力されたパルスが第２端に向かって進行するようになっており、
第１の電極の内径ｂと、第２の電極の外径ａとの比ｂ／ａが、第１端側及び第２端側に比べて、第２の電極の長さ方向中間部位で大きくなっている、請求項２に記載の処理装置。
【請求項６】
前記高周波電圧信号は、パルス幅１０ｎｓ以下で電圧立ち上がり速度１０ｋＶ／ｎｓ以上のパルスである、請求項２〜５いずれか１項に記載の処理装置。
【請求項７】
酸素含有ガスが、前記外側電極の内周面に沿って渦流を形成するように噴射される、請求項１〜６いずれか１項に記載の処理装置。
【請求項８】
油田随伴水から油分、固形分を除去して有機物を含有する１次処理水を得る工程と、
前記１次処理水を放電プラズマに曝して有機物を分解する工程であって、前記放電プラズマはパルス幅１０ｎｓ以下で電圧立ち上がり速度１０ｋＶ／ｎｓ以上のパルスを出力するナノ秒パルス電源によって生成される、分解工程と、
を備えた油田随伴水の処理方法。
【請求項９】
前記分解工程は、
１次処理水をナノ秒放電プラズマ中に噴霧させる工程と、
噴霧され、ナノ秒放電プラズマに曝された１次処理水を回収する工程と、
回収された１次処理水をナノ秒放電プラズマ中に噴霧させる工程と、
を繰り返すものである、請求項８に記載の処理方法。
【請求項１０】
前記１次処理水及び回収された１次処理水は、酸素含有ガスと共にナノ秒放電プラズマ中に噴射される、請求項９に記載の処理方法。
【発明の詳細な説明】
【技術分野】
【０００１】
本発明は、有機物含有水の処理方法及び装置に係り、特に、難分解性有機物を含有する水の分解方法及び装置に関するものである。本発明の１つの好ましい実施形態では、難分解性有機物を含む水は油田随伴水である。
【背景技術】
【０００２】
油田やガス田から産出される油田随伴水の中には、油分に加えて、難分解性の水溶性有機物（フェノール、多環芳香族炭化水素等）や重金属類が含まれている場合が多い。このような油田随伴水を未処理の状態で環境に放出することは避けるべきであり、油田随伴水に含まれる油分、重金属類、水溶性有機物等をいかに処理するかは重要な課題である。
【０００３】
油分含有水から油分を除去するための手法として、幾つかの提案がなされている。
特許文献１には、油を含有する被処理水から油成分を除去する油水分離装置において、被処理水を、エマルジョン化生成手段あるいは油相除去手段により、含有油をエマルジョン化し、これに磁性粉及び凝集剤を注入して磁性フロックを形成し、前記磁性フロックを磁気力により吸引分離して大気中で回収する手法が開示されている。
特許文献２には、原油採掘工程等で排出される原油含有排水の廃水処理に関して、原油含有排水中に懸濁状態で浮遊している油分を、有機系の高分子凝集剤を使って、凝集沈殿分離し、さらに、廃水中に溶解している油分を、高分子凝集剤と酸化剤を使って、酸化分解する工程を設けた、原油含有排水の廃水処理方法、が開示されている。
特許文献３には、油田随伴水に磁性粉を含んだ凝集剤を混入させることで、油田随伴水中の油分や固形分（重金属類を含む）をフロック化し、磁気ドラムで取り除く凝集磁気分離システムが提案されている。
これらの手法は、油田随伴水から油分等を除去する一次処理手法として用いられ得る。
【０００４】
油田随伴水から油分や固形分を除去した場合であっても、一次処理水には、多量・多種の水溶性有機物が含まれており、これらを如何に処理するかが問題となる。
特許文献４、特許文献５では、「油田随伴水の油滴を除去したとしても、依然として、大量の有機化合物、例えば、酢酸、プロピオン酸、吉草酸などが溶存し、これらが悪臭や環境に対するダメージの原因であるとして、その除去が検討されている。」という課題に言及しており、油田随伴水に含まれる溶存有機化合物を除去する処理方法を提案している。
【０００５】
特許文献４には、原油と塩水との混合物から原油を分離して得られた油田随伴水と吸着剤を接触して、油田随伴水中の溶存有機物を吸着除去し、該吸着剤から被吸着物を脱着し吸着剤を再生することを特徴とする油田随伴水中の溶存有機物の除去方法、が開示されている。
特許文献５には、原油の採掘により産出された原油産出水から油を分離除去した後の油田随伴水を、ＳｉＯ２／Ａｌ２Ｏ３のモル比が１００〜２００の範囲内にあるゼオライトと接触させて、前記油田随伴水に含まれている溶存有機化合物を吸着除去するようにしたことを特徴とする油田随伴水の処理方法、が開示されている。
【０００６】
上記従来の手法は、吸着剤を用いた溶存有機物の分離除去に主眼が置かれており、除去された有機物をさらに処理する必要があった。特許文献４では、吸着処理の前処理として、曝気処理装置を用いた揮発性有機化合物の気化除去、吸着処理の後処理として、吸着剤の加熱再生及び排気ガス中の有機化合物の燃焼、が行われる。
本発明者等は、多種多様な有機物（多種の水溶性有機物、多種の揮発性有機物）を含有する油田随伴水を一括して処理することを目指して放電に着目し、溶存有機加工物を吸着除去する手法とは異なるアプローチで油田随伴水を処理することを考えた。
特に、油田随伴水には、採掘現場毎に多種多様の有機物が含まれ得るものであり、これらを一括して分解除去できれば有利である。
【０００７】
放電を用いた水処理自体は既に知られており、例えば、特許文献６、特許文献７、特許文献８に記載されている。しかしながら、よりコンパクトかつ簡易な装置でより高効率の処理が望まれている。また、油田随伴水に限らず、多種の難分解性の有機物を含有する水の有機物を効率良く処理することが望まれている。
【特許文献１】特開２００３−１４４８０５
【特許文献２】特開２００４−２５５２９０
【特許文献３】特開２０１２−４０５３６
【特許文献４】特許５０９８３３４号
【特許文献５】特開２００７−２８３２０３
【特許文献６】特許第４０７３２４０号
【特許文献７】特開２００９−２４１０５５号
【特許文献８】特開２０１２−２３６１３１
【発明の開示】
【発明が解決しようとする課題】
【０００８】
本発明は、簡単な構成でありながら、難分解性の有機物を含有する水から有機物を分解除去する装置及び方法を提供することを目的とするものである。
【課題を解決するための手段】
【０００９】
本発明が採用した第１の技術手段は、
外側の第１の電極と、第１の電極の内部空間内で当該第１の電極の長さ方向に延びる第２の電極と、からなる電極対と、
前記電極対にパルス高電圧を付与するパルス電源と、
前記第１の電極の内部空間と連通する被処理水の導入口及び排出口と、
前記第１の電極の内部空間と連通する酸素含有ガスの導入口及び排出口と、
を備えた処理装置であって、
前記パルス電源は、パルス幅１０ｎｓ以下で電圧立ち上がり速度１０ｋＶ／ｎｓ以上のパルスを生成するナノ秒パルス電源であり、前記導入口から前記内部空間に噴霧された被処理水中の有機物が、酸素雰囲気下で生成されたナノ秒パルス放電プラズマに曝されて分解される、
有機物含有水の処理装置、である。
１つの態様では、第１の電極は、筒状電極であり、第２の電極は、筒状電極の中心を当該筒状電極の長さ方向に延びる線状ないしロッド状の中心電極である。
１つの態様では、前記パルス電源のパルス出力の伝送路は前記第２の電極に電気的に接続されており、電圧立ち上がり速度１０ｋＶ／ｎｓ以上のパルスが当該第２の電極に供給され、前記第２の電極から前記第１の電極へ向かって放射状にストリーマが進展してプラズマ放電が行われ、前記導入口から導入された被処理水中の有機物が、前記プラズマ放電に曝されて分解される。
【００１０】
電圧立ち上がり速度１０ｋＶ／ｎｓ以上を得るためには、例えば、印加電圧１００ｋＶで立ち上がり時間１０ｎｓ以下、印加電圧３０ｋＶで立ち上がり時間３ｎｓ以下、印加電圧１０ｋＶで立ち上がり時間１ｎｓ以下となる。
本明細書において、パルス幅は半値幅、具体的には、パルスのピーク値の立ち上がり半値点と立ち下り半値点との間の時間を意味する。
本発明において、パルス幅は、１０ｎｓ以下のいかなる値（例えば、９ｎｓ，８ｎｓ，７ｎｓ，６ｎｓ，５ｎｓ，４ｎｓ，３ｎｓ，２ｎｓ，１ｎｓ、ないし、これらの間の任意の数値）を取り得る。
【００１１】
１つの態様では、前記被処理水の導入口と排出口は循環流路によって接続されている。
１つの態様では、前記内部空間に供給された被処理水を回収する貯水部を備えており、前記排出口は前記貯水部に設けてある。
酸素含有ガスは、典型的には、酸素ないし空気である。
１つの態様では、前記酸素含有ガスの導入口と排出口は循環流路によって接続されている。
こうすることで、酸素含有ガス源から供給される酸素の量を削減することができる。
１つの態様では、前記被処理水は、前記被処理水の導入口から前記内部空間に噴霧ないし散水される。
１つの態様では、前記被処理水の導入口及び前記酸素含有ガスの導入口は、二流体ノズルから構成されている。
１つの態様では、酸素含有ガスが、筒状電極からなる第１の電極の内周面に沿って渦流を形成するように噴射される。こうすることで、筒状電極の内壁に被処理水が付着することを可及的に防止し、被処理水を良好に循環させる。例えば、１つあるいは複数のノズルから筒状電極の内周面に向けて斜め下方に酸素含有ガスを噴射する。二流体ノズルを用いる場合であっても、当該二流体ノズルとは別に１つあるいは複数の渦流形成用ノズルを設けてもよい。
【００１２】
１つの態様では、前記有機物含有水は、蟻酸、酢酸、プロピオン酸、ナフテン酸、フェノール類、多環芳香族炭化水素からなる水溶性有機物群の少なくとも２つを含む。油田随伴水は、この水溶性有機物群の全てを含むものが多いと考えられる。
なお、上記水溶性有機物は典型的な例示であって、本発明の処理対象の有機物含有水は他の水溶性有機物を含んでいてもよい。
１つの態様では、前記有機物含有水は、油田随伴水である。
本明細書において、油田随伴水には、シェール層への水圧破砕後に排出されるフローバック水を含むものとする。
１つの態様では、前記被処理水は、油分、固形分が除去された油田随伴水の１次処理水である。
もっとも、油田随伴水は、本発明が適用される被処理水の一例であり、本発明は、石炭・地熱等の開発にかかわる生産水や製油所等での排水などのように、多種の難分解性の有機物を含有する水の処理全般に広く適用され得るものである。
【００１３】
本発明が採用した第２の技術手段は、
空間を介して対向する第１及び第２の電極とからなる電極対と、
前記電極対に高周波電圧を供給する電源と、
とを備え、
前記電極対間の空間に被処理水を噴霧状に供給する、有機物含有水の処理装置であって、
前記第１の電極と第２の電極との距離が、高周波電圧信号の進行方向に沿って変化していることを特徴とする有機物含有水の処理装置、である。
１つの態様では、前記第２の電極は、前記第１の電極の内部空間内で当該第１の電極の長さ方向に延びている。
１つの態様では、前記第１の電極は外側に位置する筒状電極（長さ方向に内径が変化するものも含む）であり、前記第２の電極は、前記筒状電極の中心に位置して延びる線状ないしロッド状の中心電極である。
１つの態様では、前記高周波電圧信号はパルスである。
【００１４】
１つの態様では、前記第２の電極は、第１端と第２端を有し、第１端側に入力されたパルスが第２端に向かって進行するようになっており、
前記第１の電極の内周面と前記第２の電極間の距離を、第１端側からパルスの進行方向に向かって漸次小さくしてなる。
第１の電極の内周面と第２の電極間の距離を、第１端側からパルスの進行方向に向かって漸次小さくすることで、エネルギーがパルスの進行方向に減衰したとしても、より均一な放電エネルギーを得ることができる。
【００１５】
１つの態様では、前記第２の電極は、第１端と第２端を有し、第１端側に入力されたパルスが第２端に向かって進行するようになっており、前記第２端は開放端であり、
前記第１の電極の内周面と前記第２の電極間の距離を、第１端側からパルスの進行方向に向かって、第２の電極の所定部位まで漸次小さくすると共に、前記所定部位から第２端に向かって漸次大きくしてなる。
第１の電極の内周面と中心電極間の距離を、第１端側からパルスの進行方向に向かって、第２の電極の所定部位まで漸次小さくすると共に、前記所定部位から第２端に向かって漸次大きくすることで、エネルギーがパルスの進行方向に減衰することを考慮し、かつ、第２端部でパルス電圧が反転重畳（電圧反射）することに着目して、より均一な放電エネルギーを得ることができる。
【００１６】
１つの態様では、前記第２の電極は、第１端と第２端を有し、第１端側に入力されたパルスが第２端に向かって進行するようになっており、
第１の電極の内径ｂと、第２の電極の外径ａとの比ｂ／ａが、第１端側及び第２端側に比べて、第２の電極の長さ方向中間部位で大きくなっている。
比ｂ／ａを、第１端側及び第２端側に比べて、第２の電極の長さ方向中間部位で大きくすることで、放電空間の長さ方向の中央部位での電界を大きくすることができる。
【００１７】
本発明が採用した他の技術手段は、
油田随伴水から油分、固形分を除去して有機物を含有する１次処理水を得る工程と、
前記１次処理水を放電プラズマに曝して有機物を分解する工程であって、前記放電プラズマは、パルス幅１０ｎｓ以下で電圧立ち上がり速度１０ｋＶ／ｎｓ以上のパルスを生成するナノ秒パルス電源によって生成される、分解工程と、
を備えた油田随伴水の処理方法、である。
１つの態様では、前記１次処理水を得る工程は、油田随伴水に磁性粉を含んだ凝集剤を混入させることで、油田随伴水中の油分や固定分をフロック化し、磁気回収手段でフロックを取り除くものである。
前記１次処理水を得る工程には、従来の他の手法（複数の手法を組み合わせてもよい）を用いることができる。
１つの態様では、前記分解工程は、
１次処理水をナノ秒放電プラズマ中に噴霧させる工程と、
噴霧され、ナノ秒放電プラズマに曝された１次処理水を回収する工程と、
回収された１次処理水をナノ秒放電プラズマ中に噴霧させる工程と、
を繰り返すものである。
１つの態様では、前記１次処理水及び回収された１次処理水は、酸素含有ガスと共にナノ秒放電プラズマ中に噴射される。
【発明の効果】
【００１８】
本発明によれば、多種多様な難分解性物質を含む被処理水を１つの装置で処理することができる。
被処理水が油田随伴水の場合には、油田随伴水の含有物質やその濃度は油田によって異なるが、本発明は、分解処理対象である有機物の種類を選ばないので、油田随伴水の処理手法として汎用性がある。
【図面の簡単な説明】
【００１９】
【図１】放電処理装置の概略図である。
【図２】ナノ秒パルス発生装置を示す図である。
【図３】油田随伴水の処理工程を示す図である。
【図４】凝集磁気分離システムの概略図である。
【図５】油田随伴水ＰＷ−1に係る処理結果を示す図である。
【図６】油田随伴水ＰＷ−1に係る処理結果（ＣＯＤ除去率、ＴＯＣ除去率）を示す図である。
【図７】油田随伴水ＰＷ−２に係る処理結果（ＣＯＤ除去率、ＴＯＣ除去率）を示す図である。
【図８】油田随伴水ＰＷ−２に係る処理結果（ＣＯＤ除去率、ＴＯＣ除去率）を示す図である。
【図９】放電処理装置を構成する電極対（外側電極＋中心電極）の他の実施形態を示す。
【図１０】放電処理装置を構成する電極対（外側電極＋中心電極）の他の実施形態を示す。
【図１１】放電処理装置を構成する電極対（外側電極＋中心電極）の他の実施形態を示す。
【図１２】放電処理装置を構成する電極対（外側電極＋中心電極）の他の実施形態を示す。
【図１３】放電処理装置を構成する電極対（外側電極＋中心電極）の他の実施形態を示す。
【図１４】放電処理装置を構成する電極対（外側電極＋中心電極）の他の実施形態を示す。
【図１５】放電処理装置を構成する電極対（外側電極＋中心電極）の他の実施形態を示す。
【図１６】放電処理装置を構成する電極対（外側電極＋中心電極）の他の実施形態を示す。
【図１７】放電処理装置を構成する電極対（外側電極＋中心電極）の他の実施形態を示す。
【発明を実施するための形態】
【００２０】
［Ａ］放電処理装置
図１に放電処理装置の概略図を示す。放電処理装置は、有機物含有水を放電プラズマに曝して有機物を分解するための装置である。放電処理部は、円筒状の外側電極１と、外側電極１の内部に同軸状に設けられた中心電極２と、を備え、外側電極１は接地されており、中心電極２には、後述するパルス発生装置からの高電圧パルスが供給されるようになっている。パルス発生装置で生成されたナノ秒パルスを中心電極２に伝送することで、中心電極２と外側電極１との間に高電圧パルスが印加されて、中心電極２から外側電極１に向けてストリーマ放電が進展してナノ秒放電プラズマが生成される。円筒状の外側電極１は円筒状の壁体が垂直となるように立姿状に配置されており、中心電極２も垂直状に延びている。
【００２１】
外側電極１の材料としては、ステンレススチール、真鍮を例示することができ、中心電極２の材料としては、タングステン、ステンレススチールを例示することができる。もちろん、電極対を形成する金属材料の種類は特には限定されず、当業者において適宜選択される。
【００２２】
図示の態様では、処理容器の外壁は、円筒状の外側電極１から構成され、処理容器の上端側には、被処理水の導入口３が設けられ、処理容器の下端側には、被処理水の貯水部４が設けてある。導入口３と貯水部４とは、貯水部４に収容されている被処理水を導入口３へ供給するため循環流路（ポンプＰ）を備えている）５によって流体連通されており、貯水部４の被処理水は繰り返し放電プラズマに曝されるようになっている。
【００２３】
導入口３は二流体ノズルから構成されており、酸素含有ガス源としての酸素源６から酸素が導入口３に導入されるようになっている。二流体ノズルによって、貯水部４から供給される被処理水と、酸素源６から供給される酸素と、を混合させ、微細な粒子として外側電極１と中心電極２との間の内部空間に噴出する。 酸素源５から供給される酸素には、二流体ノズルの気体源の他に、酸素起源ラジカル（酸素原子やオゾン等）の量を増加させる役割がある。図示の態様では、処理容器には内部空間から気体を排出するための排気路７が形成されているが、排気された気体（酸素を含む）をポンプにより二流体ノズルへ再循環させることで、酸素源６から供給される使用酸素量の削減を図ってもよい。
【００２４】
パルス発生装置からパルス幅１０ｎｓ以下で電圧立ち上がり速度１０ｋＶ／ｎｓ以上のパルスが中心電極２に供給され、中心電極２から外側電極１へ向かって放射状にストリーマが進展してナノ秒パルス放電プラズマ放電が生成され、二流体ノズルから噴出された被処理水の粒子は酸素と共にナノ秒放電プラズマに曝されながら落下し、貯水部４で回収される。回収された被処理水は再び循環流路５を通って二流体ノズルから噴出され、ナノ秒放電プラズマに曝されながら落下して貯水部４で回収され、循環流路５を通って二流体ノズルから噴出され、ナノ秒放電プラズマに曝される。このように被処理水を繰り返しナノ秒放電プラズマで処理することで、被処理水に含まれる有機物が分解される。
【００２５】
ナノ秒パルス放電は、パルス放電による非熱平衡プラズマ形成時の低エネルギー効率の要因であったパルス電源と放電電極との不整合及びグロー様放電時の熱損失の両要因を解消できる。
【００２６】
本発明におけるナノ秒パルス放電の内容を限定するものではないが、ＷＯ２０１０／０７４１９５には、立ち上り時間がストリーマヘッド形成時間より短いパルス電圧を放電部の電極間に印加することで中心電極から外側電極へストリーマヘッドを等速で進展させ、パルスの持続時間、印加電圧を、電極間距離に対応して、進展するストリーマヘッドが外側電極に到達する時（少なくとも、ストリーマ放電の時間の１．５倍の時間内）に放電が終了するように選択することが記載されている。放電をストリーマ放電でのみで行なうことで、パルス電源の特性インピーダンスをストリーマ放電時の電極間インピーダンスに一致させるだけでよく、ストリーマ放電からグロー様放電への移行時のインピーダンスの急変に起因するパルス電源と放電電極とのインピーダンスの不整合を解消することができる。したがって、パルス電源から放電反応器へのエネルギー転送効率を向上させることができる。
【００２７】
ストリーマ放電時間は、「ストリーマヘッドの形成時間」＋「ストリーマヘッドの電極間進展時間」である。ナノ秒パルス放電の電圧立ち上がり時間（例えば、電圧立ち上がり時間2ｎｓ）はストリーマヘッド形成時間より短いため、ストリーマヘッドの電極間進展が始まる前に電圧が立ちあがり、ストリーマが進展しているときに電極への印加電圧がほぼ一定となって、結果としてストリーマヘッドが等速運動することとなる。
【００２８】
［Ｂ］パルス発生装置
パルス発生装置は、パルス幅１０ｎｓ以下のナノ秒パルスを出力する高圧パルス電源である。図２を参照しつつ、パルス発生装置について説明する。パルス発生装置は、分布定数線路からなるパルス成形線路８と、パルス成形線路８を充電するための充電手段９と、パルス成形線路８からパルスを出力させるためのスイッチ１０と、を備えている。
【００２９】
パルス成形線路８として、３軸ブルームライン型線路（Triaxial Blumlein Line）が採用されている。3軸ブルームライン型線路は、円筒状の外側導体１１と、外側導体１１内に設けた円筒状の中間導体１２と、中間導体１２内に設けたロッド状（円柱状）の中心導体（内側導体）１３と、からなる。外側導体１１、中間導体１２、中心導体１３は、同心状に互いに離間して配置されており、外側導体１１と中間導体１２の間、中間導体１２と中心導体１３との間、には空間が形成されている。これらの空間には、誘電性の液体（分布定数線路の誘電体を形成する）が充填されている。本実施形態では、誘電性液体は、シリコーン油であるが、所定の誘電率を備えていれば、他の誘電性液体を用いてもよい。ブルームライン型線路の長さは、非限定的な例として500mmであり、外側導体１１、中間導体１２、中心導体１３の径は、非限定的な例として、110mm（外側導体内径）、22mm（中間導体外径）、20mm（中間導体内径）、4mm（中心導体外径）、である。本実施形態では、これらの導体は真鍮（黄銅）から形成されているが、もちろん、導体として他の金属を用いてもよい。
【００３０】
円筒状の外側導体１１の長さ方向の一端側には、絶縁体からなる内壁１４が形成されており、円筒状の中間導体１２の長さ方向の一端側は内壁１４に片持ち状に支持されており、長さ方向他端側は開口している。中心導体１３の一端側も内壁１４に支持されている。中間導体１２の一端側と中心導体１３の一端側は絶縁体を介して絶縁されている。
【００３１】
パルス成形線路８を充電するための充電手段９は、例えば、充電キャパシタ、サイラトロンスイッチ、パルス変圧器からなるパルスフォーミング回路（初段パルス発生回路）であり、パルス成形線路１にパルス電圧を提供する。充電手段９（パルス電源）としては、マイクロ秒パルス発生装置（電圧立上がり・立下がり時間：数十から数千ナノ秒）を広く用いることができる。
【００３２】
外側導体１１には、内壁１４に位置して、充電ポート１５が形成されており、充電手段９と中間導体１２は電気的に接続されている。パルスフォーミング回路からのパルス電力により中間導体１２が充電される。中心導体１３と外側導体１１は、充電インダクタ１６を介して連結されており、外側導体４は接地されている。充電インダクタ１６は例えば0.5から3.0μHである。
【００３３】
パルス成形線路８からパルスを出力させるためのスイッチ１０は、低インダクタンスで高速自己閉鎖型のスイッチとしての高圧スパークギャップスイッチ（SGS）である。外側導体１１の一端側の端面１７と内壁１４との間の空間には、SF6絶縁ガスが充填されている。中間導体１２の一端側は内壁７から前記空間内に突出しており、中間導体１２の一端側の端部には第１電極が形成され、外側導体１１の一端側の端面１７の内面には第２電極が形成されている。第１電極と第２電極との間のギャップ間隔は、1mmである。SF6絶縁ガスの圧力は、例えば、0.1から1.0MPaである。パルス発生装置からの出力電圧の大きさは、SF6の圧力値を選択することで調整可能である。ギャップスイッチが短絡すると、外側導体１１と中間導体１２とが導通される。
【００３４】
外側導体１１は中間導体１２に比べて長尺であり、外側導体１１の他端側は、中間導体１２の他端を越えて延びており、外側導体１１の他端には絶縁体の端壁１８が形成されている。中心導体１３の一端側は内壁１４に支持されており、他端側は中間導体１２の開口状の他端から延出しており、延出部１３０は、ブルームライン型線路から負荷(Load)へのエネルギー伝送線路(Transmission Line)となっている。中心導体１３の延出部１３０は誘電性液体が充填された外側導体４の内部空間を外側導体１１の長さ方向に延びると共に端壁１８を貫通して、放電部の円筒状の外側電極１と中心電極２との間にナノ秒パルス高電圧を供給して、ナノ秒パルス放電が行われる。
【００３５】
１つの態様では、3軸ブルームライン型線路のユニットインダクタンス、ユニットキャパシタンスは、それぞれ、322nH/m、76pF/mであり、130Ωの特性インピーダンスを与える。ブルームライン型線路の長さは500mmであり、5nsの持続時間のパルスを与える。分布定数線路で形成されるパルスのパルス幅（持続時間）は、分布定数線路の長さ及びその内部誘電体の誘電率・透磁率に依存することから、ブルームライン型線路長を選択することで、パルス幅を変更することができる。１つの態様では、3軸ブルームライン型線路は負のパルス電圧が充電され、正極が負荷に与えられる。尚、負荷に負極を与えるようにパルス発生装置を構成してもよい。ブルームライン型線路から負荷へのエネルギー伝送線路としては、130Ωの特性インピーダンスを備えた同軸伝送線路が用いられる。
【００３６】
［Ｃ］油田随伴水の処理工程
本発明の典型的な処理対象である油田随伴水の処理工程について説明する。油田随伴水には、油分や固形分（金属類を含む）が含まれており、油分や固形分を除去することが望ましい。本明細書では、油田随伴水から油分や固形分を除去する処理を１次処理と言う。図３に示すように、油田随伴水から１次処理によって油分や固形物を除去して１次処理水を得て、１次処理水に対してナノ秒パルスプラズマ放電を適用することで、１次処理水に含まれる有機物を分解除去して、処理水を得る。１次処理の典型的な手段は、凝集剤を用いて油分や固形分をフロック化するステップと、フロックを分離・回収するステップと、からなる。
【００３７】
１次処理手段として例示する凝集磁気分離システムを図４に示す。凝集磁気分離システムは、油田随伴水に磁性粉を含んだ凝集剤を混入させることで、油田随伴水中の油分や固定分（重金属類を含む）をフロック化し、磁気ドラムで取り除くものであり、詳細については特許文献３を参照することができる。また、特許文献５には、油田随伴水を凝集槽に送り、硫酸第二鉄やポリ塩化アルミニウム等の凝集剤或いはマグネタイト（Ｆｅ３Ｏ４）、γヘマタイト（Ｆｅ２Ｏ３）等の磁性粒子を用いて、浮遊物を凝集させてフロック化する処理を行い、回転濾過装置で油分とフロックを油田随伴水から分離する手段が開示されており、この手法を１次処理として用いてもよい。１次処理手段としては、その他の公知の手法（複数の手法の組み合わせも含む）を用いてもよい。例えば、特許文献１、２に記載された手法を用いてもよい。
【００３８】
［Ｄ］実験結果
油田随伴水に含まれる有機物の処理実験を行った。処理対象は、３種類の油田随伴水（ＰＷ−１、ＰＷ−２、ＰＷ−３）である。表１、表５、表８に示すように、油田随伴水ＰＷ−1は、他の油田随伴水に比べてプロピオン酸が比較的多く、油田随伴水ＰＷ−２は、他の油田随伴水に比べてベンゼンが比較的多く、油田随伴水ＰＷ−３は、他の油田随伴水に比べてナフテン酸が比較的多いものの、各油田随伴水は、多種多様な有機物を含んでいる。また、各油田随伴水は、表１、表５、表８に記載されている物質以外にも、重金属類を含む多種の金属、多種の多環芳香族炭化水素が含まれる。具体的には、Cd, Pb, As, T-Hg, Cr6,Se, B, F、Cu, Zn, Fe, Mn, T-Cr, l, T-Sの一部の複数あるいは全部が含まれ得る。多環芳香族炭化水素としては、Ｎａｐｈｔｈａｌｅｎｅ、Ａｃｅｎａｐｈｔｈｅｎｅ、Ｆｌｕｏｒｏｅｎｅ、Ｐｈｅｎａｎｔｈｒｅｎｅが例示される。
【００３９】
処理方法は、図１に示す放電処理装置、図２に示すパルス発生装置を用いたナノ秒パルス放電処理（処理水循環シャワー方式）である。被処理水を二流体ノズルから散水させるシャワー方式とすることで、被処理水を満遍なく放電処理することができる。被処理水は、３種類の油田随伴水（ＰＷ−１、ＰＷ−２、ＰＷ−３）の原水を図４に示す凝集磁気分離システムで処理して得られた１次処理水である。実験方法は、放電条件（放電電圧や電圧時間幅、放電周波数、放電電極形状）は、放電周波数以外を固定とした。有機物の処理状況については、ＣＯＤ（Ｃｈｅｍｉｃａｌ Ｏｘｙｇｅｎ Ｄｅｍａｎｄ、生物化学的酸素要求量）、ＴＯＣ（Total Organic Carbon、全有機炭素）よって確認した。ＣＯＤを計測することで溶存有機化合物の処理状況を確認した。ＴＯＣを計測することで有機物の処理状況（多量成分の同時処理状況）を確認した。
【００４０】
［実験１］
実験１の実験条件は、以下のとおりである。 
処理対象：PW1
処理液量：5,000 mL 
処理液循環流量：200 mL/min
処理時間：77 hours
酸素流量：5 L/min at 0.2MPa
印加パルス幅：5 ns
印加パルス電圧：60 kV
印加パルス繰り返し周波数：300 pps 
【００４１】
油田随伴水ＰＷ１に含まれている主要な物質を表１に示す。
【表１】
2015217358.tif 000003
【００４２】
油田随伴水ＰＷ−1には、その他、重金属類や多環芳香族炭化水素が含まれている。油田随伴水ＰＷ−1の１次処理水を、ナノ秒パルス放電プラズマを用いた処理を実行した。油田随伴水ＰＷ−１のＣＯＤＭｎについて計測を行った。処理結果を表２及び図５に示す。ナノ秒パルス放電による油田随伴水ＰＷ−１のＣＯＤＭｎ低減が実証され、その低減が低減率７０％程度までは時間に比例することも確認された。
【表２】
2015217358.tif 000004
【００４３】
［実験２］
実験２の実験条件は以下のとおりである。
処理対象：PW1
処理液量：600 mL 
処理液循環流量：400 mL/min
処理時間：12 hours
酸素流量：5 L/min at 0.2MPa
印加パルス幅：5 ns
印加パルス電圧：60 kV
印加パルス繰り返し周波数：300 pps 
【００４４】
油田随伴水ＰＷ−1の１次処理水を、ナノ秒パルス放電プラズマを用いた処理を実行した。油田随伴水ＰＷ−１のＣＯＤＭｎ、ＴＯＣについて計測を行った。処理結果を、表３、表４、図６に示す。ナノ秒パルス放電によるＰＷ−１のＣＯＤ・ＴＯＣ低減が実証され、その低減が低減率７０％程度までは時間に比例することも確認された。なお、シャワリングのみの結果は、COD： 358→543、TOC： 1,284→1,403、であった。シャワリングによる水の蒸発が発生しているものと考えられる。また、GC-MS（ガスクロマトグラフ）によって、ナノ秒パルス放電によるフェノール類及び他の未確定含有物の処理が確認された。
【表３】
2015217358.tif 000005
【表４】
2015217358.tif 000006
【００４５】
［実験３］
実験３の実験条件は以下のとおりである。 
処理対象：PW2
処理液量：600 mL 
処理液循環流量：400 mL/min
処理時間：12 hours
酸素流量：5 L/min at 0.2MPa
印加パルス幅：5 ns
印加パルス電圧：60 kV
印加パルス繰り返し周波数：300 pps 
【００４６】
油田随伴水ＰＷ２に含まれている主要な物質を表５に示す。
【表５】
2015217358.tif 000007
【００４７】
油田随伴水ＰＷ−２には、その他、重金属類や多環芳香族炭化水素が含まれている。油田随伴水ＰＷ−２の１次処理水を、ナノ秒パルス放電プラズマを用いた処理を実行した。油田随伴水ＰＷ−２のＣＯＤＭｎ、ＴＯＣについて計測を行った。処理結果を、表５、表６、図７に示す。ナノ秒パルス放電による油田随伴水ＰＷ−２のＣＯＤ・ＴＯＣ低減が実証され、その低減が低減率７０％程度までは時間に比例し、以降、飽和することが確認された。なお、シャワリングのみの結果は、COD：155→204、TOC：125→140、であった。シャワリングによる水の蒸発が発生し ているものと考えられる。また、GC-MS（ガスクロマトグラフ）によって、ナノ秒パルス放電によるフェノール類の処理が確認された。 
【表６】
2015217358.tif 000008
【表７】
2015217358.tif 000009
【００４８】
［実験４］
実験４の実験条件は以下のとおりである。
処理対象：PW3
処理液量：600 mL 
処理液循環流量：400 mL/min
処理時間：12 hours
酸素流量：5 L/min at 0.2MPa
印加パルス幅：5 ns
印加パルス電圧：60 kV
印加パルス繰り返し周波数：300 pps 
【００４９】
油田随伴水ＰＷ３に含まれている主要な物質を表８に示す。
【表８】
2015217358.tif 000010
【００５０】
油田随伴水ＰＷ−３には、その他、重金属類や多環芳香族炭化水素が含まれている。油田随伴水ＰＷ−３の１次処理水を、ナノ秒パルス放電プラズマを用いた処理を実行した。油田随伴水ＰＷ−３のＣＯＤＭｎ、ＴＯＣについて計測を行った。処理結果を、表９、表１０、図８に示す。ナノ秒パルス放電によるＰＷ−３のＣＯＤ・ＴＯＣ低減が実証され、その低減が低減率７０％程度までは時間に比例し、以降、飽和することが確認された。なお、シャワリングのみの結果は、COD： 260→335、TOC：160→171、であった。シャワリングによる水の蒸発が発生しているものと考えられる。 また、GC-MS（ガスクロマトグラフ）によって、ナノ秒パルス放電による塩化物の生成が確認された。
【表９】
2015217358.tif 000011
【表１０】
2015217358.tif 000012
【００５１】
実験結果をまとめると以下の通りである。
ＰＷ−１，２，３において、シャワリングにより水分が蒸発し、その結果、ＣＯＤ・ＴＯＣが増加することが確認された。 
ＰＷ−１，２，３において、ナノ秒パルス放電により有機物が分解し、その結果、ＣＯＤ・ＴＯＣが低減することが確認された。
初期ＣＯＤ・ＴＯＣが低い随伴水ほど、その低減率が高くなることが確認された。
低減率７０％程度までは、時間に比例して有機物の分解が進むことが確認された。 
ＰＷ−１，２において、フェノール類の分解が進むことが確認された。 
ＰＷ−３において、有機物の分解とともに塩化物の生成が確認された。 
【００５２】
［Ｅ］放電処理部の他の実施形態
効率の良い処理のためには、放電エネルギーがパルスの進行方向に減衰することを考慮して、放電空間においてより均一な放電を形成することが望ましい。図９〜図１７に、放電処理装置を構成する外側電極１と外側電極１の内側の中心電極２の他の実施形態を示す。図１と同様に、図９〜図１７の放電処理部の外側電極１及び中心電極２は、高さ方向に延びており、外側電極１と中心電極２との間の処理空間に上側から被処理水が導入されるようになっている。図９〜図１７には、外側電極１と中心電極２の構成についてのみ示し他の要素は省略されている。被処理水の処理のための構造については、図１及び図１に関連する記載を参照することができる。図９〜図１７において、外側電極１、中心電極２の支持構造等は省略されているが、外側電極１、中心電極２の支持構造については、当業者において適宜なし得る事項である。
【００５３】
図９〜図１３において、左側の（Ａ）図は、中心電極２の下端側がパルスの入力側となっており、中心電極２の下端から上端に向かってパルスが進行ないし伝搬する態様である。右側の（Ｂ）図は、中心電極２の上端側がパルスの入力側となっており、中心電極２の上端から下端に向かってパルスが進行ないし伝搬する態様である。図１４〜図１７は、中心電極２の下端側がパルスの入力側となっており、中心電極２の下端から上端に向かってパルスが進行ないし伝搬する態様である。図９〜図１７は、外側電極１、中心電極２の形状及びパルスの進行方向を表す模式図であり、各図における「パルス電源」の位置は、放電処理部とパルス電源（パルス発生装置）の位置関係を示すものではない。当業者において、パルス発生装置は適宜位置に置かれ、パルス発生装置で生成されたパルスを放電処理部に供給するように、当該放電処理部と適宜電気的に接続されている。
【００５４】
図９に示す態様は、電極対間で生成される放電が電極の長手方向へ進展するにしたがって、そのエネルギーが減衰することに着目したものであり、パルス進行方向に亘って、外側電極１の内周面と中心電極２との間の距離が漸次小さくなっている。ここで、本明細書において、外側電極１の内周面と中心電極２との間の距離とは、中心電極２の長さ方向（パルス進行方向）に直交する方向の距離であり、図示の態様では、外側電極１の内周面と中心電極２との間の水平方向の距離である。本態様では、被処理水は図面上側に設けられた被処理水導入口（図示せず）より、外側電極１内に噴霧され、外側電極1の内側と、中心電極２の間の空間を落下し、図面の下側に設けられた受水槽（図示せず）に集められる。
【００５５】
図９（Ａ）において、放電処理部は全体として概ね円錐台形状を備えている。より具体的には、外側電極１は、全体として筒状であって、下端から上端に向かって漸次縮径しており、外周面及び内周面はテーパ状ないし傾斜状となっている。中心電極２は、筒状の外側電極１の中心に位置して、垂直状に延びるワイヤないしロッドである。外側電極１の内周面と中心電極２間の距離は、下端から上端に向かって（すなわち、パルスの進行方向に沿って）漸次小さくなっている。本態様では、外側電極１の内径が、下に行く程広がるため外側電極内に噴霧された被処理水が落下に伴い、外側電極1に付着しにくく、高い処理効率を得ることができる。
【００５６】
図９（Ｂ）において、放電処理部は全体として概ね逆円錐台形状を備えている。より具体的には、外側電極１は、全体として筒状であって、下端から上端に向かって漸次拡径しており、外周面及び内周面はテーパ状ないし傾斜状となっている。中心電極２は、筒状の外側電極１の中心に位置して、垂直状に延びるワイヤないしロッドである。外側電極１の内周面と中心電極２間の距離は、上端から下端に向かって（すなわち、パルスの進行方向に沿って）漸次小さくなっている。本態様では、中心電極２を上方より吊るすため、受水槽と中心電極の保持機構を独立して設置できるため、設備の設計が容易となる。
【００５７】
図１０に示す態様は、図９に示す態様の変形である。図１０に示す態様は、電極対間で生成される放電が電極の長手方向へ進展するにしたがって、そのエネルギーが減衰することに着目したものであり、パルス進行方向に亘って、外側電極１の内周面と中心電極２との間の距離が漸次小さくなっている。
【００５８】
図１０（Ａ）において、外側電極１は、外周面が高さ方向に同径の円筒面となっているが、内周面は下端から上端に向かって漸次縮径しており、テーパ状ないし傾斜状となっている。中心電極２は、筒状の外側電極１の中心に位置して、垂直状に延びるワイヤないしロッドである。外側電極１の内周面と中心電極２間の距離は、下端から上端に向かって（すなわち、パルスの進行方向に沿って）漸次小さくなっている。
【００５９】
図１０（Ｂ）において、外側電極１は、外周面が高さ方向に同径の円筒面となっているが、内周面は下端から上端に向かって漸次拡径しており、テーパ状ないし傾斜状となっている。中心電極２は、筒状の外側電極１の中心に位置して、垂直状に延びるワイヤないしロッドである。外側電極１の内周面と中心電極２間の距離は、上端から下端に向かって（すなわち、パルスの進行方向に沿って）漸次小さくなっている。
【００６０】
図１１に示す態様は、電極対間で生成される放電が電極の長手方向へ進展するにしたがって、そのエネルギーが減衰することに加え、電極の開放端において、パルス電圧が反転重畳（電圧反射）してそのエネルギーが増加することに着目したものであり、パルス進行方向に亘って、外側電極１の内周面と中心電極２との間の距離が漸次小さくなると共に、長手方向の中間地点を越えた部位から終端に向かって漸次大きくなっている。
【００６１】
図１１（Ａ）において、外側電極１は、図９（Ａ）に示す外側電極１の上端側が拡経した形状となっている。より具体的には、外側電極１は、全体として筒状であって、高さ方向の中間部位の上側の位置まで、下端から上端に向かって漸次縮径しており、かかる位置から上端に向かって漸次拡経している。中心電極２は、筒状の外側電極１の中心に位置して、垂直状に延びるワイヤないしロッドである。外側電極１の内周面と中心電極２間の距離は、高さ方向の中間部位の上側の位置まで、下端から上端に向かって（すなわち、パルスの進行方向に沿って）漸次小さくなっており、かかる位置から上端に向かって漸次大きくなっている。図示では、外側電極１の下端側の径は、上端側の径よりも大きくなっているが、必ずしもこれに限定されるものではなく、例えば、下端側の径と上端側の径が略同じであってもよい。
【００６２】
図１１（Ｂ）において、外側電極１は、図９（Ｂ）に示す外側電極１の下端側が拡経した形状となっている。より具体的には、外側電極１は、全体として筒状であって、高さ方向の中間部位の下側の位置まで、上端から下端に向かって漸次縮径しており、かかる位置から下端に向かって漸次拡経している。中心電極２は、筒状の外側電極１の中心に位置して、垂直状に延びるワイヤないしロッドである。外側電極１の内周面と中心電極２間の距離は、高さ方向の中間部位の下側の位置まで、上端から下端に向かって（すなわち、パルスの進行方向に沿って）漸次小さくなっており、かかる位置から下端に向かって漸次大きくなっている。図示では、外側電極１の上端側の径は、下端側の径よりも大きくなっているが、必ずしもこれに限定されるものではなく、例えば、上端側の径と下端側の径が略同じであってもよい。
【００６３】
図１１に示す外側電極１では、パルス進行方向において、外側電極１の長手方向の中間地点を越えた部位が最も径が小さくなっているが、例えば、図１２（Ａ）、（Ｂ）に示すように、外側電極１の長手方向の中間地点の径を最小とし、高さ方向中央部位から上方、下方に向かって漸次拡径するようにしてもよい。図示では、外側電極１の下端側の径と上端側の径が略同じであるが、必ずしもこれに限定されるものではない。
【００６４】
図１３に示す態様は、図１１に示す態様の変形であり、外側電極１の外周面が高さ方向に同径の円筒面となっている点において、図１１と異なる。図１３に示す態様は、電極対間で生成される放電が電極の長手方向へ進展するにしたがって、そのエネルギーが減衰することに加え、電極の開放端において、パルス電圧が反転重畳（電圧反射）してそのエネルギーが増加することに着目したものであり、パルス進行方向に亘って、外側電極１の内周面と中心電極２との間の距離が漸次小さくなると共に、長手方向の中間地点を越えた部位から終端に向かって漸次大きくなっている。図１３に示す外側電極１では、パルス進行方向において、外側電極の長手方向の中間地点を越えた部位が最も径が小さくなっているが、外側電極の最も径が小さい部位は、図示の態様に限定されず、例えば、外側電極の長手方向の中間地点の径を最小とし、高さ方向中央部位から上方、下方に向かって漸次拡径するようにしてもよい（図１２参照）。
【００６５】
図１３（Ａ）において、外側電極１は、外周面が高さ方向に同径の円筒面となっているが、内周面は高さ方向の中間部位の上側の位置まで、下端から上端に向かって漸次縮径しており、かかる位置から上端に向かって漸次拡経している。中心電極２は、筒状の外側電極１の中心に位置して、垂直状に延びるワイヤないしロッドである。外側電極１の内周面と中心電極２間の距離は、高さ方向の中間部位の上側の位置まで、下端から上端に向かって（すなわち、パルスの進行方向に沿って）漸次小さくなっており、かかる位置から上端に向かって漸次大きくなっている。
【００６６】
図１３（Ｂ）において、外側電極１は、外周面が高さ方向に同径の円筒面となっているが、内周面は高さ方向の中間部位の下側の位置まで、上端から下端に向かって漸次縮径しており、かかる位置から下端に向かって漸次拡経している。中心電極２は、筒状の外側電極１の中心に位置して、垂直状に延びるワイヤないしロッドである。外側電極１の内周面と中心電極２間の距離は、高さ方向の中間部位の下側の位置まで、上端から下端に向かって（すなわち、パルスの進行方向に沿って）漸次小さくなっており、かかる位置から下端に向かって漸次大きくなっている。
【００６７】
図１４に示す態様は、放電が電極の長手方向へ進展するにしたがって、そのエネルギーが減衰することに着目したものであり、パルス進行方向に亘って、外側電極１の内周面と中心電極２との間の距離が漸次小さくなっている。図９、図１０では、外側電極１の内周面の形状を長手方向にテ―パ状としたのに対して、図１４では、中心電極２の外周面の形状を長手方向にテ―パ状としている。
【００６８】
図１４において、外側電極１は、高さ方向に同径の円筒であり、中心電極２は、下端から上端に向かって漸次拡径する棒状部材ないしロッドである。外側電極１の内周面と中心電極２間の距離は、下端から上端に向かって（すなわち、パルスの伝搬方向に沿って）漸次小さくなっている。
【００６９】
図１５に示す態様は、放電が電極の長手方向へ進展するにしたがって、そのエネルギーが減衰することに着目したものであり、パルス進行方向に亘って、外側電極１の内周面と中心電極との間の距離が漸次小さくなっている。中心電極は、高さ方向に延びるワイヤないしロッドからなる軸部２´と、軸部２´から当該軸部２´の長さ方向に対して垂直方向に突出する複数の針状部２０と、からなり、針状部２０は、軸部２´の長さ方向に亘って間隔を存して設けてあると共に、軸部２´を中心に放射状に延びている。図１４の態様において、外側電極１の内周面と中心電極との間の距離とは、外側電極１の内周面と針状部２０の先端との間の距離である。なお、針状部に代えて、軸部２´の長さ方向に対して垂直に延びる複数枚の羽根体やプレート（円板、方形板、菱形板等）を用いてもよい。
【００７０】
図１５において、外側電極１は、高さ方向に同径の円筒であり、中心電極２に高さ方向に亘って突成された針状部の突出寸法は、下端から上端に向かって漸次大きくなっている。外側電極１の内周面と中心電極２の針状部の先端との間の距離は、下端から上端に向かって（すなわち、パルスの進行方向に沿って）漸次小さくなっている。
【００７１】
図１６に示す態様は、外側電極１と内部の中心電極２間の放電空間に形成される電界が、中心電極径ａと外部電極径ｂの比ｂ／ａ（実際はｌｎ（ｂ／ａ））の影響を受け、ｂ／ａが大きいほど、同じ電圧では、大きな電界が形成されることに着目したものであり、長さ方向に一定の径の外側電極１に対して、中心電極２を長さ方向の中央付近で凹ませることで、凹んだ部分での電界を強くするものである。
【００７２】
図１６において、外側電極１は、高さ方向に同径の円筒であり、中心電極２は、下端から高さ方向の中間部位に向かって漸次縮径し、さらに上端に向かって漸次拡径する棒状部材ないしロッドである。外側電極１の径ｂと中心電極２の径ａの比ｂ／ａは、放電空間の上下端部領域に比べて放電空間の高さ方向の中間部位において大きくなるようになっている。
【００７３】
図１７に示す態様は、図１６と同様に、外側電極１と内部の中心電極２間に形成される電界が、中心電極径ａと外部電極径ｂの比ｂ／ａ（実際はｌｎ（ｂ／ａ））の影響を受け、ｂ／ａが大きいほど、同じ電圧では、大きな電界が形成されることに着目したものであり、中心電極２を長さ方向の中央付近で凹ませることで、凹んだ部分での電界を強くするものである。中心電極は、高さ方向に延びるワイヤないしロッドからなる軸部２´と、軸部２´から当該軸部２´の長さ方向に対して垂直方向に突出する複数の針状部２０と、からなり、針状部２０は、軸部２´の長さ方向に亘って間隔を存して設けてあると共に、軸部２´を中心に放射状に延びている。図１７の態様において、中心電極の径は、軸部２´を中心として針状部２０の先端を通る仮想円の径である。なお、針状部に代えて、軸部２´の長さ方向に対して垂直に延びる複数枚の羽根体やプレート（円板、方形板、菱形板等）を用いてもよい。
【００７４】
図１７において、外側電極１は、高さ方向に同径の円筒であり、中心電極２に高さ方向に亘って突成された針状部の突出寸法は、下端から高さ方向の中間部位に向かって漸次小さくなり、さらに上端に向かって漸次大きくなる。外側電極１の径ｂと中心電極２の径ａの比ｂ／ａは、放電空間の上下端部領域に比べて放電空間の高さ方向の中間部位において大きくなるようになっている。
【００７５】
図９、図１０、図１４、図１５の態様に係る技術思想は、以下のように記載することができる。
筒状電極からなる外側電極と、筒状電極の内部空間内で当該円筒電極の長さ方向に延びる中心電極と、からなる電極対において、
前記中心電極は、第１端と第２端を有し、第１端側に入力されたパルスが第２端に向かって進行するようになっており、
前記筒状電極の内周面と前記中心電極間の距離を、第１端側からパルスの進行方向に向かって漸次小さくしてなる。
１つの態様では、前記中心電極はワイヤないしロッドからなる線状ないし棒状の部材であり、前記筒状電極の内周面は、パルス進行方向に向かって前記中心電極に漸次近づくようにテ―パ状ないし傾斜状となっている（図９、図１０）。図９の態様では、筒状電極の外周面も内周面と同様にテ―パ状ないし傾斜状であり、図１０の態様では、筒状電極の外周面は長さ方向に同径である。
言い換えると、図９、図１０に示す態様では、前記筒状電極と前記中心電極との間に形成される放電空間が、パルス進行方向に向かって、第１端側から第２端に向かって縮径している。
１つの態様では、前記筒状電極の内周面は長さ方向に同径であり、前記中心電極は棒状部材であり、当該中心電極の外周面は、パルス進行方向に向かって拡径しており、前記筒状電極の内周面に漸次近づくようにテ―パ状ないし傾斜状となっている（図１４）。
１つの態様では、前記筒状電極の内周面は長さ方向に同径であり、前記中心電極は、筒状電極の長さ方向に沿って延びる軸部（軸部２´）と、軸部の長さ方向に亘ると共に、軸部を中心として筒状電極の内周面に向かって放射方向に延びる複数の突出部（針状部２０）と、からなり、突出部の軸部からの突出寸法が、パルスの進行方向に向かって漸次大きくなっている（図１５）。
【００７６】
図１１、図１２、図１３の態様に係る技術思想は、以下のように記載することができる。
筒状電極からなる外側電極と、筒状電極の内部空間内で当該円筒電極の長さ方向に延びる中心電極と、からなる電極対において、
前記中心電極は、第１端と第２端を有し、第１端側に入力されたパルスが第２端に向かって進行するようになっており、前記第２端は開放端であり、
前記筒状電極の内周面と前記中心電極間の距離を、第１端側からパルスの進行方向に向かって、中心電極の所定部位まで漸次小さくすると共に、前記所定部位から第２端に向かって漸次大きくしてなる。
１つの態様では、前記中心電極はワイヤないしロッドからなる線状ないし棒状の部材であり、前記筒状電極の内周面は、第１端側からパルスの進行方向に向かって、中心電極の所定部位まで漸次縮径すると共に、前記所定部位から第２端に向かって漸次拡径してなる（図１１、図１２、図１３）。図１１、図１２の態様では、筒状電極１が長さ方向の中途部位に最小径が位置する絞った全体形状となっており、図１３の態様では、筒状電極の外周面は長さ方向に同径である。
図１１を例に説明すれば、パルス電源より入射したパルスは中心電極２を進むうち、エネルギーを失い、第２端で反射することで、第２端近傍で再び大きなエネルギーを得るため、パルスのエネルギー分布に応じて外側電極１と中心電極２の距離を調整することで、パルスのエネルギーを有効に利用でき、外側電極１の長さをより長く設定することができる。このため、外側電極１内に噴霧された被処理水の外側電極１内滞在時間が長くなることで、より高い処理効率を得ることが可能となる。
【００７７】
図１６、図１７の態様に係る技術思想は、以下のように記載することができる。
筒状電極からなる外側電極と、筒状電極の内部空間内で当該円筒電極の長さ方向に延びる中心電極と、からなる電極対において、
前記中心電極は、第１端と第２端を有し、第１端側に入力されたパルスが第２端に向かって進行するようになっており、
筒状電極の内径ｂと、中心電極の外径ａとの比ｂ／ａが、第１端側及び第２端側に比べて、中心電極の長さ方向中間部位で大きくなっている。
言い換えると、図１６、図１７に示す態様では、前記筒状電極と前記中心電極との間に形成される放電空間は、第１端側からパルス進行方向に向かって当該中心電極の長さ方向の中間部位まで縮径してなる第１部分と、中間部位から第２端側に向かって拡径してなる第２部分とから、形成されている。
１つの態様では、前記筒状電極の内周面は長さ方向に同径であり、前記中心電極は棒状部材であり、当該中心電極の外周面は、両端部から中央に向かって漸次縮径しており、中心電極の長さ方向の中間付近が凹んでいる（図１６）。
１つの態様では、前記筒状電極の内周面は長さ方向に同径であり、前記中心電極は、筒状電極の長さ方向に沿って延びる軸部（軸部２´）と、軸部の長さ方向に亘ると共に、軸部を中心として筒状電極の内周面に向かって放射方向に延びる複数の突出部（針状部２０）と、からなり、突出部の軸部からの突出寸法が、両端部から中央に向かって漸次短くなっており、全体として中心電極の長さ方向の中間付近が凹んでいる（図１７）。
【００７８】
図９〜図１７では、高さ方向に延びる縦型の放電電極部を示したが、電極対は、その長さ方向が垂直方向であるものに限定されるものではなく、電極対が垂直軸に対して傾斜して延びるもの、電極対が水平方向に延びるものでもよい。
本発明は、有機物含有水を対象とするものではあるが、図９〜図１７に示す電極対の構成は、パルス電源を用いた放電による処理装置全般に適用され得るものであり、処理対象も液体に限定されず、気体を含む流体全般に適用可能である。
【符号の説明】
【００７９】
１  外側電極
２  中心電極
２´  軸部
２０  針状部
３  被処理水の導入口
４  貯水部
５  循環流路
６  酸素源
７  排気路
８  パルス成形線路
９  充電手段
１３  中心導体
１３０  延出部
【図３】
2015217358.tif 000013
【図９】
2015217358.tif 000014
【図１０】
2015217358.tif 000015
【図１１】
2015217358.tif 000016
【図１２】
2015217358.tif 000017
【図１３】
2015217358.tif 000018
【図１４】
2015217358.tif 000019
【図１５】
2015217358.tif 000020
【図１６】
2015217358.tif 000021
【図１７】
2015217358.tif 000022
【図１】
2015217358.tif 000023
【図２】
2015217358.tif 000024
【図４】
2015217358.tif 000025
【図５】
2015217358.tif 000026
【図６】
2015217358.tif 000027
【図７】
2015217358.tif 000028
【図８】
2015217358.tif 000029